(57)【特許請求の範囲】
【請求項１】
それぞれ、フィルター部と、フィルター部に連結する刻み部とを有する複数の棒状紙巻たばこ製品を、フィルター部を上にして縦向きに内部に収納するたばこパッケージであって、
複数の棒状紙巻たばこ製品を長手方向に密着整列した束を包装する包装体と、
開口上端を有する箱状のパッケージ本体と、パッケージ本体にヒンジを介して回動自在に連結される蓋部材とを有し、
該パッケージ本体の前壁には、開口上端の対応する縁から下方に延在する切り欠き凹部が設けられ、
該切り欠き凹部の下端縁は、前記たばこパッケージの内部に、前記包装体として収納される棒状紙巻たばこ製品の刻み部に相当する高さ位置に設けられ、
前記包装体の前記前壁に面する部分において、前記前壁に面する部分を横断する切れ目が入れられ、前記たばこパッケージの開封の際、前記前壁に面する部分を上方に引っ張ることにより、前記切れ目を介して、前記前壁に面する部分の前記切れ目より上方の部分が分離され、棒状紙巻たばこ製品の刻み部が前記切り欠き凹部を介して露出し、
前記切れ目は、前記前壁と前記側壁との境界部である縁部に沿う切れ目と、前記前壁を横断する切れ目とからなるＬ字状ミシン目である、ことを特徴とするたばこパッケージ。
【請求項２】
前記パッケージ本体は、アウタボックスと、インナフレームとを備え、アウタボックスは、直方体形状の上端側が斜めに切り欠かれた形状を有する箱体であり、前記パッケージ本体は、前壁、後壁 、側壁、底壁を有し、前壁および後壁それぞれは矩形状を有し、後壁は前壁に比べて高さ寸法が長尺の矩形状をなし、前壁と対向配置され、一対の側壁は、前壁 および後壁の両側縁を相互に連結しており、矩形状の上端が斜辺となった台形状をなし、底壁は、矩形状をなし、前壁および後壁の下端に連結され、
前記アウタボックス の後壁の上端にはヒンジが形成され、該ヒンジは、両側壁の上端縁の後部間に亘って延伸し、後壁と蓋部材とを相互に回動自在に連結し、前記アウタボックスは、その上端に、斜めの開口端を備え、開口端の後側開口縁に、該ヒンジを介して蓋部材が、回動自在に連結され、
前記インナフレームは、略Ｕ字形状をなした前面フレームと、前面フレームの両側縁に連結された側面フレームとを有し、前記インナフレームは、前記アウタボックスの上部の開口端から部分的に上方へ突出した状態で、前記アウタボックスの内面に接着され、該前面フレーム が、略矩形状の前記切欠き凹部を有する、請求項１に記載のたばこパッケージ。
【請求項３】
それぞれ、フィルター部と、フィルター部に連結する刻み部とを有する複数の棒状紙巻たばこ製品を、フィルター部を上にして縦向きに内部に収納するたばこパッケージであって、
複数の棒状紙巻たばこ製品を長手方向に密着整列した束を包装する包装体と、外箱と、外箱に内嵌する内箱とを有し、
外箱は、前壁、後壁 、および側壁を有する筒状であり、
内箱は、頂壁、後壁 、側壁、底壁を有し、後壁は矩形状を有し、一対の側壁はそれぞれ、後壁の各側縁から延在し、底壁は、矩形状をなし、後壁の下端縁に一方の縁が連結され、他方の縁から、後壁と平行に折り込まれた下折込部が設けられ、頂壁は、矩形状をなし、後壁の上端縁に一方の縁が連結され、他方の縁から、後壁と平行に折り込まれた上折込部が設けられ、該下折込部と該上折込部との間に開口部が形成され、
前記内箱には、前記頂壁から上方に突出するタグが固着され、該タグのみを上方に引っ張り上げることにより、前記内箱を前記外箱に対して引き出し可能であり、
前記包装体の前記開口に面する部分において、前記開口に面する部分を横断する切れ目が入れられ、たばこパッケージの開封の際、前記開口に面する部分を上方に引っ張ることにより、該切れ目を介して、前記前壁に面する部分の該切れ目より上方の部分が分離され、棒状紙巻たばこ製品の刻み部が前記開口部を介して露出し、
前記切れ目は、前記前壁と前記側壁との境界部である縁部に沿う切れ目と、前記前壁を横断する切れ目とからなるＬ字状ミシン目である、ことを特徴とするたばこパッケージ。
【請求項４】
それぞれ、フィルター部と、フィルター部に連結する刻み部とを有する複数の棒状紙巻たばこ製品を、フィルター部を上にして縦向きに内部に収納するたばこパッケージであって、
後壁 、側壁、および底壁を有し、後壁は矩形状を有し、一対の側壁はそれぞれ、後壁の各側縁から延在し、底壁は、矩形状をなし、上端開口を有するソフトパッケージ本体を有し、
ソフトパッケージ本体には、前記上端開口の隅部から前壁と側壁とに跨る切り欠き部が設けられ、
該切り欠き部は、前記上端開口の角を含む三角形を底面とする三角錐台状であり、その頂部は、前記前壁と前記側壁との境界部である上下方向縁部上に位置決めされ、
前記底面から前記頂部までの高さは、前記切り欠き部より棒状紙巻たばこ製品の刻み部が露出する程度であり、前記上端開口の角を含む三角形は、前記三角形に相当するスペースから棒状紙巻たばこ製品が１本ずつ取り出し可能な面積である、ことを特徴とする、たばこパッケージ。
【請求項５】
前記ソフトパッケージ本体は、フィルム状のソフトケースである、請求項４に記載のたばこパッケージ。
【請求項６】
さらに、複数の棒状紙巻たばこ製品を長手方向に密着整列した束を包装する包装体を有し、前記三角錐台の前記天壁、前記前壁および前記側壁それぞれに位置する辺に沿って、前記包装体には切れ目が設けられ、前記包装体の前記三角錐台に相当する部分を指で摘まんで引っ張ることにより、前記切り欠き部が形成される、請求項４に記載のたばこパッケージ。
【請求項７】
前記三角錐台は、前記頂部を介して前記パッケージ本体に連結しており、前記切り欠き部により形成される開口を閉鎖可能である、請求項６に記載のたばこパッケージ。
【発明の詳細な説明】
【技術分野】
【０００１】
本発明は、たばこパッケージに関し、より詳細には、パッケージからの取り出し容易性を確保しつつ、口にくわえるフィルター部に指で触れることなく、パッケージからの取り出しを可能とするたばこパッケージに関する。
【背景技術】
【０００２】
従来から、世界中で、紙たばこが愛用されている。
紙たばこは、通常、紙たばこの束として、箱タイプ、缶タイプのハードケース、またはソフトケースに収納され、ケースごと、ポケット等に入れて携帯され、喫煙したいときに、紙たばこをケースから取り出す。
たとえば、特許文献１は、このようなたばこパッケージの例として、箱タイプのハードケースを開示する。
これは、喫煙後の棒状たばこ物品を棒状たばこ物品用パッケージに戻す場合、喫煙前の棒状たばこ物品を汚し難い棒状たばこ物品用パッケージを提供するものであり、内部に棒状たばこ物品を収容する収容部と、収容部の奥行き方向と直交する横方向に収容部を仕切り、喫煙後のたばこ物品の灰の飛散を抑制する横仕切部と、を備え、横仕切部は、棒状たばこ物品が1本ずつ貫通する横仕切部の孔を含む。
【０００３】
このようなパッケージによれば、横仕切部により、喫煙後のたばこ物品の灰の飛散を抑制することができる。その結果、喫煙後の棒状たばこ物品を棒状たばこ物品用パッケージに戻す場合、喫煙前の棒状たばこ物品を汚し難くすることができる。
【０００４】
しかしながら、いずれのタイプのケースにおいても、紙たばこはそれぞれ、フィルター部を上に向けてケース内で縦向きに隙間なく詰め込まれていることから、以下のような問題点を生じる。
すなわち、紙たばこをケースから取り出す際、口にくわえるフィルター部を指で摘まんで、ケースから上方に引っ張り出す必要がある点である。
昨今のコロナ危機において、コロナウィルスの人―人感染、人―物―人感染が指摘されているところ、前者については、マスク着用、換気、三密回避等相応の注意が払われているが、それに比べ後者については、軽視されがちである。
たとえば、外出中に、コロナウィルスが付着している物（たとえば、乗物のつり革、エスカレータの手すり、ドアのノブ、エレベータ、販売機等の押しボタン）に指で触れ、指の表面にコロナウィルスが付着し、コロナウィルスが付着した指でたばこのフィルター部を摘まんで、ケースから取り出し、それにより、フィルター部にコロナウィルスが付着し、喫煙の際、コロナウィルスが付着したフィルター部を自ら口でくわえ、コロナウィルスを体内に取り込むような事態が多発している。
【０００５】
このような事態は、棒状紙巻たばこ製品が新品であるほど顕著に生じ得る。すなわち、ケース内に紙たばこの束がぎっしり詰め込まれていると、フィルター部を指で強く摘まんで、上方に引っ張り上げる必要があり、この点、ケース内に紙たばこの本数が少なくなってくれば、取り出しも用意であり、場合により、ケース内にある紙たばこのフィルター部を直接口でくわえて、取り出すことも可能であるが、新品の場合には、このような取り出しは困難である。
【０００６】
外出先、例えば、専用喫煙スペースには、手洗場は、通常設けられておらず、手を洗ってからの喫煙は、頻に耐えないし、トイレで手を洗うとすれば、公衆トイレ内では、便器を水洗する際の飛沫に接触する機会を増やすので、公衆トイレ内に入ること自体が感染の危険性を増す。
一方、棒状紙巻たばこ製品において、刻み部は、細かく刻まれたたばこの葉を紙で巻くことにより、構成され、フィルター部に比べて、柔らかいことから、フィルター部を下にして、上下逆向きにして、ケース内に収納するとすれば、刻み部の上部を斜め上方から摘まんで引き出すのは、かえってやりにくい。
さらに、温湿度管理の観点から、棒状紙巻たばこ製品は、包装体により束状に包装されて、包装体としてたばこパッケージ内に収納され、たばこパッケージの開封の際、包装体の一部を切れ目Ｃに沿って破ることにより、棒状紙巻たばこ製品をたばこパッケージ内から取り出す必要があり、通常の包装体によれば、束状の棒状紙巻たばこ製品は、それぞれフィルター部の上面しか露出せず、前述の問題点が余計に顕在化する。
【０００７】
【特許文献１】ＷＯ2015/162729
【発明の開示】
【発明が解決しようとする課題】
【０００８】
以上の技術的問題点に鑑み、本発明の目的は、パッケージからの取り出し容易性を確保しつつ、口にくわえるフィルター部に指で触れることなく、パッケージからの取り出しを可能とするたばこパッケージを提供することにある。
【課題を解決するための手段】
【０００９】
上記課題を達成するために、本発明のたばこパッケージは、
それぞれ、フィルター部と、フィルター部に連結する刻み部とを有する複数の棒状紙巻たばこ製品を、フィルター部を上にして縦向きに内部に収納するたばこパッケージであって、
複数の棒状紙巻たばこ製品を長手方向に密着整列した束を包装する包装体と、
開口上端を有する箱状のパッケージ本体と、パッケージ本体にヒンジを介して回動自在に連結される蓋部材とを有し、
該パッケージ本体の前壁には、開口上端の対応する縁から下方に延在する切り欠き凹部が設けられ、
該切り欠き凹部の下端縁は、前記たばこパッケージの内部に、前記包装体として収納される棒状紙巻たばこ製品の刻み部に相当する高さ位置に設けられ、
前記包装体の前記前壁に面する部分において、前記前壁に面する部分を横断する切れ目Ｃが入れられ、前記たばこパッケージの開封の際、前記前壁に面する部分を上方に引っ張ることにより、前記切れ目Ｃを介して、前記前壁に面する部分の前記切れ目Ｃより上方の部分が分離され、棒状紙巻たばこ製品の刻み部が前記切り欠き凹部を介して露出する、構成としている。
【００１０】
本発明者は、棒状紙巻たばこ製品において、刻み部は柔軟な部材である一方、フィルター部は、それに比して硬質な部材である点に着目し、棒状紙巻たばこ製品をたばこパッケージから取り出す際、フィルター部の直下端の刻み部の部分を側方から指で押して凹ませることにより、指がフィルター部の下端に係止することにより、棒状紙巻たばこ製品Ｐを上方に押し出し可能であることを利用して、口にくわえるフィルター部に指で触れずに、取り出すことを可能とするたばこパッケージを見出した。
以上の構成を有するたばこパッケージによれば、フィルター部を上にして縦向きに棒状紙巻たばこ製品を内部に収納するところ、箱状のパッケージ本体の前壁には、開口上端の対応する縁から下方に延在する切り欠き凹部が設けられ、切り欠き凹部の下端縁は、たばこパッケージの内部に、包装体として収納される棒状紙巻たばこ製品の刻み部に相当する高さ位置に設けられる一方、包装体の前壁に面する部分において、前壁に面する部分を横断する切れ目Ｃが入れられることから、たばこパッケージの開封の際、複数の棒状紙巻たばこ製品を長手方向に密着整列した束を包装する包装体において、パッケージ本体の前壁に面する部分を上方に引っ張ることにより、切れ目Ｃを介して、前壁に面する部分の切れ目Ｃより上方の部分が分離され、それにより、棒状紙巻たばこ製品の刻み部が切り欠き凹部を介して露出することから、たばこパッケージから棒状紙巻たばこ製品を取り出す際、口にくわえない刻み部を指で側方から摘まむことにより、刻み部はフィルター部より柔らかいことから、側方から凹まして摘みやすく、棒状紙巻たばこ製品の取り出し容易性を確保しつつ、口にくわえるフィルター部に指で触れることなく、パッケージからの取り出しが可能であり、たとえば、表面に菌、ウィルスが付着した指でフィルター部に触れ、フィルター部に菌、ウィルスが付着し、菌、ウィルスが付着したフィルター部を口にくわえることにより、菌、ウィルスを体内に取り込み感染するような事態を未然に防止することが可能である。
【００１１】
また、前記パッケージ本体は、アウタボックスと、インナフレームとを備え、アウタボックスは、直方体形状の上端側が斜めに切り欠かれた形状を有する箱体であり、前記パッケージ本体は、前壁、後壁 、側壁、底壁を有し、前壁および後壁それぞれは矩形状を有し、後壁は前壁に比べて高さ寸法が長尺の矩形状をなし、前壁と対向配置され、一対の側壁は、前壁 および後壁の両側縁を相互に連結しており、矩形状の上端が斜辺となった台形状をなし、底壁は、矩形状をなし、前壁および後壁の下端に連結され、
前記アウタボックス の後壁の上端にはヒンジが形成され、該ヒンジは、両側壁の上端縁の後部間に亘って延伸し、後壁と蓋部材とを相互に回動自在に連結し、前記アウタボックスは、その上端に、斜めの開口端を備え、開口端の後側開口縁に、該ヒンジを介して蓋部材が、回動自在に連結され、
前記インナフレームは、略Ｕ字形状をなした前面フレームと、前面フレームの両側縁に連結された側面フレームとを有し、前記インナフレームは、前記アウタボックスの上部の開口端から部分的に上方へ突出した状態で、前記アウタボックスの内面に接着され、該前面フレーム が、略矩形状の前記切欠き凹部を有するのでもよい。
【００１２】
上記課題を達成するために、本発明のたばこパッケージは、
それぞれ、フィルター部と、フィルター部に連結する刻み部とを有する複数の棒状紙巻たばこ製品を、フィルター部を上にして縦向きに内部に収納するたばこパッケージであって、
複数の棒状紙巻たばこ製品を長手方向に密着整列した束を包装する包装体と、
外箱と、外箱に内嵌する内箱とを有し、
外箱は、前壁、後壁 、および側壁を有する筒状であり、
内箱は、頂壁、後壁 、側壁、底壁を有し、後壁は矩形状を有し、一対の側壁はそれぞれ、後壁の各側縁から延在し、底壁は、矩形状をなし、後壁の下端縁に一方の縁が連結され、他方の縁から、後壁と平行に折り込まれた下折込部が設けられ、頂壁は、矩形状をなし、後壁の上端縁に一方の縁が連結され、他方の縁から、後壁と平行に折り込まれた上折込部が設けられ、該下折込部と該上折込部との間に開口部が形成され、
前記内箱には、前記頂壁から上方に突出するタグが固着され、該タグのみを上方に引っ張り上げることにより、前記内箱を前記外箱に対して引き出し可能であり、
前記包装体の前記開口に面する部分において、前記開口に面する部分を横断する切れ目Ｃが入れられ、たばこパッケージの開封の際、前記開口に面する部分を上方に引っ張ることにより、該切れ目Ｃを介して、前記前壁に面する部分の該切れ目Ｃより上方の部分が分離され、棒状紙巻たばこ製品の刻み部が前記開口部を介して露出する、構成としている。
【００１３】
以上の構成によれば、喫煙の折、たばこパッケージから棒状紙巻たばこ製品を取り出す際、内箱を外箱を引き出すのに、内箱を指で触れることなしに、タグのみを指で摘まんで引っ張ることにより可能となり、引き出された内箱において、棒状紙巻たばこ製品の刻み部が開口部を介して露出する。
よって、パッケージ本体内に棒状紙巻たばこ製品がぎっしり詰まっている場合には、開口部を介して露出している刻み部を側方から指で押さえて、棒状紙巻たばこ製品の長手方向に沿って、他の棒状紙巻たばこ製品に対して摺動させながら、上方に押し出すことにより、パッケージ本体の開口上端から取り出し可能であり、また、パッケージ本体内に棒状紙巻たばこ製品がぎっしり詰まっておらず、まわりにスペースがある場合には、開口部を介して露出している刻み部を側方から指で摘まんで、上方に引っ張り出すことにより、パッケージ本体の開口上端から取り出し可能であり、いずれにせよ、喫煙の際、口にくわえるフィルター部に指で触れることなく、パッケージ本体内から棒状紙巻たばこ製品を取り出し可能であり、以て、万が一、指に菌、ウィルスが付着している場合であっても、喫煙による感染の恐れを回避することが可能である。
【００１４】
上記課題を達成するために、本発明のたばこパッケージは、
それぞれ、フィルター部と、フィルター部に連結する刻み部とを有する複数の棒状紙巻たばこ製品を、フィルター部を上にして縦向きに内部に収納するたばこパッケージであって、
後壁 、側壁、および底壁を有し、後壁は矩形状を有し、一対の側壁はそれぞれ、後壁の各側縁から延在し、底壁は、矩形状をなし、上端開口を有するソフトパッケージ本体を有し、
ソフトパッケージ本体には、前記上端開口の隅部から前壁と側壁とに跨る切り欠き部が設けられ、
該切り欠き部は、前記上端開口の角を含む三角形を底面とする三角錐台状であり、その頂部は、前記前壁と前記側壁との境界部である上下方向縁部上に位置決めされ、
前記底面から前記頂部までの高さは、前記切り欠き部より棒状紙巻たばこ製品の刻み部が露出する程度であり、前記上端開口の角を含む三角形は、前記三角形に相当するスペースから棒状紙巻たばこ製品が１本ずつ取り出し可能な面積である、構成としている。
【００１５】
以上の構成を有するたばこパッケージによれば、フィルター部を上にして縦向きに棒状紙巻たばこ製品を内部に収納するところ、頂壁、後壁 、側壁、底壁を有し、後壁は矩形状を有し、一対の側壁はそれぞれ、後壁の各側縁から延在し、底壁は、矩形状をなし、上端開口を有するソフトパッケージを有し、ソフトパッケージには、上端開口の隅部から前壁と側壁とに跨る切り欠き部が設けられ、切り欠き部は、上端開口の角を含む三角形を底面とする三角錐台状であり、その頂部は、前壁と側壁との境界部である上下方向縁部上に位置決めされ、底面から頂部までの高さは、切り欠き部より棒状紙巻たばこ製品の刻み部が露出する程度であることから、切り欠き部を介して、棒状紙巻たばこ製品の刻み部が露出することから、たばこパッケージの開封の際、たばこパッケージから棒状紙巻たばこ製品を取り出す際、口にくわえない刻み部を指で側方から摘まむことにより、パッケージ本体内に棒状紙巻たばこ製品がぎっしり詰まっている場合には、切り欠き部を介して露出している刻み部を側方から指で押さえて、棒状紙巻たばこ製品の長手方向に沿って、他の棒状紙巻たばこ製品に対して摺動させながら、上方に押し出すことにより、ソフトパッケージ本体の開口上端から取り出し可能であり、また、パッケージ本体内に棒状紙巻たばこ製品がぎっしり詰まっておらず、まわりにスペースがある場合には、上端開口の角を含む三角形は、三角形に相当するスペースから棒状紙巻たばこ製品が１本ずつ取り出し可能な面積であることから、ソフトパッケージ本体の開口上端を下向きにすることにより、棒状紙巻たばこ製品自体に触れることなしに、パッケージ本体の開口上端から取り出し可能であり、総じて、棒状紙巻たばこ製品の取り出し容易性を確保しつつ、口にくわえるフィルター部に指で触れることなく、パッケージからの取り出しが可能であり、たとえば、表面に菌、ウィルスが付着した指でフィルター部に触れ、フィルター部に菌、ウィルスが付着し、菌、ウィルスが付着したフィルター部を口にくわえることにより、菌、ウィルスを体内に取り込み感染するような事態を未然に防止することが可能である。
【００１６】
さらに、前記たばこパッケージは、前記フィルター部を指で摘まんで棒状紙巻たばこ製品を取り出さないようにとの警告表示が付されている、のがよい。
また、前記棒状紙巻たばこ製品において、前記フィルター部と前記刻み部との境界部に、警告表示マークが付されているのがよい。
さらにまた、前記警告表示マークは、棒状紙巻たばこ製品の前記フィルター部と前記刻み部との境界部の外周面に、リング状にカラー表示されているのがよい。
また、前記切れ目Ｃは、前記前壁と前記側壁との境界部である縁部に沿う切れ目Ｃと、前記前壁を横断する切れ目ＣとからなるＬ字状ミシン目であるのがよい。
さらに、前記ソフトパッケージ本体は、フィルム状のソフトケースであってもよい。
さらにまた、複数の棒状紙巻たばこ製品を長手方向に密着整列した束を包装する包装体をさらに有し、前記三角錐台の前記天壁、前記前壁および前記側壁それぞれに位置する辺に沿って、前記包装体には切れ目Ｃが設けられ、前記包装体の前記三角錐台に相当する部分を指で摘まんで引っ張ることにより、前記切り欠き部が形成されるのでもよい。
加えて、前記三角錐台は、前記頂部を介して前記パッケージ本体に連結しており、前記切り欠き部により形成される開口を閉鎖可能であるのでもよい。
【００１７】
また、前記切り欠き凹部の前記下端縁および前記包装体の切れ目Ｃそれぞれの前記パッケージ本体の底面からの高さのうち高い方が、前記フィルター部の下端と前記棒状紙巻たばこ製品の重心位置との間に設定されているのがよい。
さらに、前記切り欠き凹部の前記下端縁および前記包装体の切れ目Ｃそれぞれの前記パッケージ本体の底面からの高さのうち高い方が、前記切り欠き凹部を介して棒状紙巻たばこ製品の刻み部が１/３ないし１/２露出する高さ位置に設けられるのがよい。
さらにまた、前記切り欠き凹部の前記下端縁および前記包装体の切れ目Ｃそれぞれの前記パッケージ本体の底面からの高さが同じに設定されるのでもよい。
加えて、前記切れ目Ｃは、前記前壁と前記側壁との境界部である両縁部に沿う切れ目Ｃと、前記前壁を横断する切れ目Ｃとからなるコの字状ミシン目でもよい。
【発明を実施するための最良の形態】
【００１８】
本発明のたばこパッケージの第１実施形態を、図１ないし図６を参照しながら、以下に詳細に説明する。
たばこパッケージに収納される棒状紙巻たばこ製品Ｐは、従来のように、一端を口にくわえるフィルター部Ｆと、葉タバコを細長く刻み乾燥させたいわゆる刻みを巻紙により包んだ刻み部Ｂとから構成され、フィルター部Ｆの下端Ｅと刻み部Ｂの上端が接続され、棒状を形成し、全長の種類に応じて、ショートタイプ、ロングタイプ、スーパーロングタイプに大別される。別名、フィルターシガレットと称される。
図１および図２に示すように、パッケージ本体１２ は、略直方体形状をなした所謂ヒンジ蓋付きボックス型であり、パッケージ本体１２ と、パッケージ本体１２ にヒンジを介して回動自在に連結される蓋部材１４ とを有する。ボックス型パッケージ本体１２０は、いわゆるハードケースであり、パッケージ本体１２ や蓋部材１４ は、例えば紙材からなっているが、これには限定されない。
パッケージ本体１２ は、前壁２０、後壁２２、側壁２４、および底壁２６ を有し、アウタボックス１６と、インナフレーム１８とを備える。アウタボックス１６ は、直方体形状の上端側が斜めに切り欠かれた形状を有する箱体である。前壁２０ および後壁２２ はそれぞれ、矩形状を有し、後壁２２ は前壁２０と対向配置され、前壁２０に比べて高さが高い矩形状をなす。一対の側壁２４ は、前壁２０ および後壁２２ の両側縁を相互に連結しており、矩形状の上端が斜辺となった台形状をなし、側壁２４ の上端縁は、前壁２０ の上端と後壁２２ の上端とを結ぶように傾斜している。底壁２６は、矩形状をなしており、前壁２０ および後壁２２ の下端に連結されている。
【００１９】
アウタボックス１６の後壁２２の上端には、後壁２２と蓋部材１４とを相互に回動自在に連結するヒンジ２８が、両側壁２４の上端縁の後部間に亘って延伸している。アウタボックス１６は、その上端に、斜めの上端開口２７を備え、ヒンジ２８を介して蓋部材１４が、上端開口２７の後側開口縁に回動自在に連結されている。
【００２０】
一方、インナフレーム１８ は、側面フレーム３２と、略Ｕ 字形状をなした前面フレーム３０ と有し、側面フレーム３２は前面フレーム３０ の両側縁に連結されている。インナフレーム１８ は、アウタボックス１６の上部の上端開口２７から部分的に上方へ突出した状態で、アウタボックス１６の内面に接着されている。インナフレーム１８ は、蓋部材１４の開閉を案内するガイドとしても機能するとともに、アウタボックス１６の上端開口２７を補強する。前面フレーム３０ は、略矩形状の切欠き凹部３４を有し、切欠き凹部３４ は、インナフレーム１８の前面を大きく開き、後に詳細に説明するように、棒状紙巻たばこ製品Ｐの取り出しを容易にしている。
切欠き凹部３４の下端縁３６の底壁２６からの高さｈは、以下で詳細に説明するように、切欠き凹部３４により形成される開口から、棒状紙巻たばこ製品Ｐの刻み部Ｂが露出し、側方から刻み部Ｂを利用して、棒状紙巻たばこ製品Ｐをアウタボックス１６の上端開口２７から取り出すことが可能なように設定される。
【００２１】
蓋部材１４ は、矩形状天板４０と、ヒンジ２８ に連結されている矩形状の後壁３８とを有し、矩形型の天板４０は、後壁３８に直交するように連結され、さらに、天板４０に直交するように連結されている矩形状の前壁４２ と、一対の側壁４４ とを有している。一対の側壁４４ は、それぞれ台形状をなしており、後壁３８、天板４０ および前壁４２の各側縁を連結している。蓋部材１４ は、ヒンジ２８ を中心に回動自在となっており、蓋部材１４ が閉じたときに、側壁４４の斜辺は、アウタボックス１６の側壁２４の上端縁で係止する。
複数の棒状紙巻たばこ製品Ｐは、長手方向に密着整列した束を包装する包装体Ｒとして、パッケージ本体１２内に収納され、包装体Ｒにおいて、切れ目Ｃは、前壁２０と側壁２４との境界部である縁部に沿う切れ目Ｃ２と、前壁２０を横断する切れ目Ｃ１とからなるＬ字状ミシン目であり（図４参照）、包装体ＲをＣ１およびＣ２に沿って、分離可能なようにしている（図３参照）。包装体Ｒは、アルミ蒸着紙、フィルム貼り合わせ紙や透明フィルム、不透明フィルム、蝋紙等のフィルム状である。
前壁２０を横断する切れ目Ｃ１の底壁２６からの高さＨは、以下で詳細に説明するように、包装体Ｒを分離することにより、切欠き凹部３４により形成される開口から、棒状紙巻たばこ製品Ｐの刻み部Ｂが露出し、側方から刻み部Ｂを利用して、棒状紙巻たばこ製品Ｐをアウタボックス１６の上端開口２７から取り出すことが可能なように設定される。
【００２２】
たばこパッケージ本体１２０は透明な外装フィルムＴ を含む。外装フィルムＴ は、たばこパッケージ本体１２０ 全体を覆う外装材であり、パッケージ本体１２ を包んでいる。外装フィルムＴ は、薄くて透明なフィルムであり、例えば、ポリエチレン、セロファン、ポリプロピレン、ポリエチレンテレフタレート等によって形成されている。外装フィルムＴは、パッケージ本体１２の前面、後面、２つの側面に沿って周回するように巻き掛けられた帯部材である開封テープ５０ を有し、外装フィルムＴの裏面（内面）側に貼り付けられて一体となっており、たばこパッケージ本体１２０の開封時に喫煙者によって先端部が引っ張られることにより、外装フィルムＴ を引き裂いて開封するために用いられる。
【００２３】
たばこパッケージにおいて、フィルター部Ｆを指で摘まんで棒状紙巻たばこ製品Ｐを取り出さないようにとの警告表示が付されており、特に、フィルター部Ｆと刻み部Ｂとの境界部近傍に、警告表示マークＷが付されている。警告表示マークＷは、棒状紙巻たばこ製品Ｐの外周面Ｓに、リング状にカラー表示されている。たとえば、カラー表示を目立つ赤とすることにより、喫煙者に、フィルター部Ｆを指で摘まんで棒状紙巻たばこ製品Ｐを取り出すことが、ウィルス、菌の感染危険性を増すことの有効な警告となる。
【００２４】
以上の構成を有するたばこパッケージについて、棒状紙巻たばこ製品Ｐをパッケージ本体１２内から取り出す仕方を含め、その作用を以下に説明する。
パッケージ本体１２内に棒状紙巻たばこ製品Ｐがぎっしり詰まっている場合には、切り欠き凹部３４を介して露出している刻み部Ｂを側方から指で押さえて、棒状紙巻たばこ製品Ｐの長手方向に沿って、他の棒状紙巻たばこ製品Ｐに対して摺動させながら、上方に押し出すことにより、パッケージ本体１２の開口上端から取り出し可能である。特に、図５に示すように、刻み部Ｂは内部に刻みが収容されていることから、刻み部Ｂの巻紙の表面を指で押すことにより凹み可能なほど柔軟な部材である一方、フィルター部Ｆは、それに比して硬質な部材であることから、フィルター部Ｆの直下端に位置する刻み部Ｂの部分を指で押すことにより、凹ませ、それより、指がフィルター部Ｆの下端Ｅに係止することにより、棒状紙巻たばこ製品Ｐを上方に押し出し可能である。
【００２５】
また、パッケージ本体１２内に棒状紙巻たばこ製品Ｐがぎっしり詰まっておらず、まわりにスペースがある場合には、切り欠き凹部３４を介して露出している刻み部Ｂを側方から指で摘まんで、上方に引っ張り出すことにより、パッケージ本体１２の開口上端から取り出し可能であり、いずれにせよ、喫煙の際、口にくわえるフィルター部Ｆに指で触れることなく、パッケージ本体１２内から棒状紙巻たばこ製品Ｐを取り出し可能であり、以て、万が一、指に菌、ウィルスが付着している場合であっても、喫煙による感染の恐れを回避することが可能である。
この場合、切り欠き凹部３４の下端縁３６および包装体Ｒの切れ目Ｃそれぞれのパッケージ本体１２の底面２６からの高さのうち高い方が、フィルター部Ｆの下端Ｅと棒状紙巻たばこ製品Ｐの重心位置ＧＬとの間に設定されてさえいれば、切り欠き凹部３４を介して、刻み部Ｂが露出可能であるとともに、棒状紙巻たばこ製品Ｐが傾いて切り欠き凹部３４を介してパッケージ本体１２内から落下するのを防止可能である。棒状紙巻たばこ製品Ｐの重心位置ＧＬは、通常、棒状紙巻たばこ製品Ｐの全長の略中央位置にある。
【００２６】
より具体的には、切り欠き凹部３４を介して棒状紙巻たばこ製品Ｐの刻み部Ｂが１/３ないし１/２露出する高さ位置に設けられるのがよい。
特に、切り欠き凹部３４の下端縁３６のパッケージ本体１２の底面からの高さｈのほうが、包装体Ｒの切れ目Ｃのパッケージ本体１２の底面２６からの高さＨより高い方が、包装体Ｒが切り欠き凹部３４から露出しない点で、美観上好ましい。より好ましくは、切り欠き凹部３４の下端縁３６および包装体Ｒの切れ目Ｃそれぞれのパッケージ本体１２の底面２６からの高さは同じに設定されるとよい。
【００２７】
図６に示すように、切り欠き凹部３４の下端縁３６は、パッケージ本体１２の底面２６に対して平行な横向き直線状（図６（Ａ）参照）である必要はなく、切り欠き凹部３４を介して刻み部Ｂが露出する限り、斜め直線状、斜め曲線状、Ｖ字直線状（図６（Ｂ）および（Ｃ）参照）、Ｖ字曲線状、コの字直線状、およびコの字曲線状でもよい。この場合、切り欠き凹部３４の下端縁３６の最下位高さ位置７１が、上述の条件を満たす限り、下端縁３６の最下位高さ位置７１に相当する切り欠き凹部３４の部分を利用することにより、刻み部Ｂの取り出し利用可能な長さｌを確保可能であり、刻み部Ｂを利用して棒状紙巻たばこ製品Ｐの取り出し可能であり、たとえば、下端縁３６がパッケージ本体１２の前壁２０の上縁に抜ける態様にすることにより（図６（Ｂ）および（Ｃ）参照）、切り欠き凹部３４による開口面積を制限することも可能となる。
【００２８】
以上の構成を有するたばこパッケージによれば、フィルター部Ｆを上にして縦向きに棒状紙巻たばこ製品Ｐを内部に収納するところ、箱状のパッケージ本体１２の前壁には、開口上端の対応する縁から下方に延在する切り欠き凹部３４が設けられ、切り欠き凹部３４の下端縁３６は、たばこパッケージの内部に、包装体Ｒとして収納される棒状紙巻たばこ製品Ｐの刻み部Ｂに相当する高さ位置に設けられる一方、包装体Ｒの前壁に面する部分において、下端縁３６より上の高さ位置に、前壁に面する部分を横断する切れ目Ｃが入れられることから、たばこパッケージの開封の際、複数の棒状紙巻たばこ製品Ｐを長手方向に密着整列した束を包装する包装体Ｒにおいて、パッケージ本体１２の前壁に面する部分を上方に引っ張ることにより、切れ目Ｃを介して、前壁に面する部分の切れ目Ｃより上方の部分が分離され、それにより、棒状紙巻たばこ製品Ｐの刻み部Ｂが切り欠き凹部３４を介して露出することから、たばこパッケージから棒状紙巻たばこ製品Ｐを取り出す際、口にくわえない刻み部Ｂを指で側方から摘まむことにより、刻み部Ｂはフィルター部Ｆより柔らかいことから、側方から凹まして摘みやすく、棒状紙巻たばこ製品Ｐの取り出し容易性を確保しつつ、口にくわえるフィルター部Ｆに指で触れることなく、パッケージからの取り出しが可能であり、たとえば、表面に菌、ウィルスが付着した指でフィルター部Ｆに触れ、フィルター部Ｆに菌、ウィルスが付着し、菌、ウィルスが付着したフィルター部Ｆを口にくわえることにより、菌、ウィルスを体内に取り込み感染するような事態を未然に防止することが可能である。
【００２９】
以下に、本発明の第２実施形態について、図７ないし図１０を参照しながら説明する。以下の説明において、第１実施形態と同様な構成要素については、同様な参照番号を付することによりその説明は省略し、以下では、本実施形態の特徴部分について詳細に説明する。
本発明の第２実施形態の特徴は、喫煙の際、口にくわえるフィルター部Ｆに指で触れずに棒状紙巻たばこ製品Ｐを取り出すことを可能とし、それにより、ウィルス、菌の感染を防止する点では、第１実施形態と共通であるが、たばこパッケージが異なり、第１実施形態においては、いわゆるハードパッケージであるのに対して、本実施形態では、いわゆるソフトパッケージである点である。
具体的には、本実施形態では、パッケージ本体１２がフィルム状であり、第１実施形態のように、パッケージ本体１２の前壁に、棒状紙巻たばこ製品Ｐの刻み部Ｂが露出可能な切り欠き凹部を設けるとすれば、パッケージ自体の保形性が維持できなくなくことから、本実施形態においては、パッケージ本体１２の上角部に切り欠き部を設けている。
【００３０】
より詳細には、図７に示すように、たばこパッケージ本体１０は、略直方体形状の外観を有するパッケージ本体１２を有し、パッケージ本体１２は、フィルム状のいわゆるソフトパッケージである。
ソフトパッケージは、前壁２０、後壁２２、側壁２４、および底壁２６を有し、後壁２２は矩形状を有し、一対の側壁２４はそれぞれ、後壁２２の各側縁から延在し、底壁２６は、矩形状をなし、上端開口２７を有し、ソフトパッケージには、上端開口２７の隅部から前壁２０と側壁２４とに跨る切り欠き部５２が設けられ、切り欠き部５２は、上端開口２７の角を含む三角形を底面とする三角錐台状であり、その頂部５８は、前壁２０と側壁２４との境界部である上下方向縁部５６上に位置決めされる。底面から頂部５８までの高さは、切り欠き部５２より棒状紙巻たばこ製品Ｐの刻み部Ｂが露出する程度であり、上端開口２７の角を含む三角形は、三角形に相当するスペースから棒状紙巻たばこ製品Ｐが１本ずつ取り出し可能な面積である。
さらに、複数の棒状紙巻たばこ製品Ｐを長手方向に密着整列した束を包装する包装体Ｒを有し、三角錐台の天壁、前壁２０および側壁２４それぞれに位置する辺Ｌに沿って、包装体Ｒには切れ目Ｃが設けられ、包装体Ｒの三角錐台に相当する部分を指で摘まんで引っ張ることにより、切り欠き部５２が形成される（図８参照）。
【００３１】
上端開口２７の角を含む三角形の面積は、三角形に相当するスペースから棒状紙巻たばこ製品Ｐが１本ずつ取り出し可能なものとする一方、底面から頂部５８までの高さは、切り欠き部５２より棒状紙巻たばこ製品Ｐの刻み部Ｂが露出し、その部分を利用して、第１実施形態と同様に、指で棒状紙巻たばこ製品Ｐを取り出し可能とする観点から定めればよく、切り欠き部５２により形成される開口は、なるべく小さいのが好ましい。
たばこパッケージ本体１２０は、封かん用シール４６ を有し、シール４６はパッケージ本体１２の前面から上面中央を経て後面に延び、パッケージ本体１２に貼付けられている。
【００３２】
以上の構成を有するたばこパッケージによれば、フィルター部Ｆを上にして縦向きに棒状紙巻たばこ製品Ｐを内部に収納するところ、前壁２０、後壁２２ 、側壁２４、底壁２６を有し、後壁２２は矩形状を有し、一対の側壁２４はそれぞれ、後壁２２の各側縁から延在し、底壁２６は、矩形状をなし、上端開口２７を有するソフトパッケージを有し、ソフトパッケージには、上端開口２７の隅部から前壁２０と側壁２４とに跨る切り欠き部５２が設けられ、切り欠き部５２は、上端開口２７の角を含む三角形を底面とする三角錐台状であり、その頂部５８は、前壁２０と側壁２４との境界部である上下方向縁部５６上に位置決めされ、底面から頂部５８までの高さは、切り欠き部５２より棒状紙巻たばこ製品Ｐの刻み部Ｂが露出する程度であることから、切り欠き部５２を介して、棒状紙巻たばこ製品Ｐの刻み部Ｂが露出することから、たばこパッケージの開封の際、たばこパッケージから棒状紙巻たばこ製品Ｐを取り出す際、口にくわえない刻み部Ｂを指で側方から摘まむことにより、パッケージ本体１２内に棒状紙巻たばこ製品Ｐがぎっしり詰まっている場合には、切り欠き部５２を介して露出している刻み部Ｂを側方から指で押さえて、棒状紙巻たばこ製品Ｐの長手方向に沿って、他の棒状紙巻たばこ製品Ｐに対して摺動させながら、上方に押し出すことにより、ソフトパッケージ本体１２の開口上端から取り出し可能である。
【００３３】
特に、刻み部Ｂは内部に刻みが収容されていることから、刻み部Ｂの巻紙の表面を指で押すことにより凹み可能なほど柔軟な部材である一方、フィルター部Ｆは、それに比して硬質な部材であることから、フィルター部Ｆの直下端に位置する刻み部Ｂの部分を指で押すことにより、凹ませ、それより、指がフィルター部Ｆの下端に係止することにより、棒状紙巻たばこ製品Ｐを上方に押し出し可能である。
また、パッケージ本体１２内に棒状紙巻たばこ製品Ｐがぎっしり詰まっておらず、まわりにスペースがある場合には、上端開口２７の角を含む三角形は、三角形に相当するスペースから棒状紙巻たばこ製品Ｐが１本ずつ取り出し可能な面積であることから、切り欠き部５２の開口上端を下向きにすることにより、棒状紙巻たばこ製品Ｐ自体に触れることなしに、棒状紙巻たばこ製品Ｐを落下させ、パッケージ本体１２の開口上端から取り出し可能である（図９参照）とともに、取り出し後、たばこパッケージを、たとえば、ポケット内、カバン内に収納して保管する際、切り欠き部５２は、棒状紙巻たばこ製品Ｐが１本ずつ取り出し可能な面積に制限されるので、保管中に、ポケット内、カバン内のウィルス、菌等が付着したり、ポケット内、カバン内から手でたばこパッケージを取り出す際、棒状紙巻たばこ製品Ｐのフィルター部Ｆに指で触れる機会を低減することが可能である。
【００３４】
以上より、棒状紙巻たばこ製品Ｐの取り出し容易性を確保しつつ、口にくわえるフィルター部Ｆに指で触れることなく、パッケージからの取り出しが可能であり、たとえば、表面に菌、ウィルスが付着した指でフィルター部Ｆに触れ、フィルター部Ｆに菌、ウィルスが付着し、菌、ウィルスが付着したフィルター部Ｆを口にくわえることにより、菌、ウィルスを体内に取り込み感染するような事態を未然に防止することが可能である。
【００３５】
なお、変形例として、パッケージ本体１２に形成される三角錐台を、頂部５８を介してパッケージ本体１２に連結させることにより、切り欠き部５２による開口を閉鎖可能であるのでもよい。これにより、喫煙の際、棒状紙巻たばこ製品Ｐのフィルター部Ｆまたは棒状紙巻たばこ製品Ｐ自体に触れることなしに、パッケージ本体１２の開口上端から取り出し可能であるとともに、取り出し後、たばこパッケージを、たとえば、ポケット内、カバン内に収納して保管する際、内部の棒状紙巻たばこ製品Ｐが密閉されるので、保管中に、ポケット内、カバン内のウィルス、菌等が付着したり、ポケット内、カバン内から手でたばこパッケージを取り出す際、棒状紙巻たばこ製品Ｐのフィルター部Ｆに指で触れる機会をさらに低減することが可能である。
【００３６】
以下に、本発明の第３実施形態について、図１１ないし図１３を参照しながら説明する。以下の説明において、第１実施形態と同様な構成要素については、同様な参照番号を付することによりその説明は省略し、以下では、本実施形態の特徴部分について詳細に説明する。
本発明の第３実施形態の特徴は、喫煙の際、口にくわえるフィルター部Ｆに指で触れずに棒状紙巻たばこ製品Ｐを取り出すことを可能とし、それにより、ウィルス、菌の感染を防止するいわゆるハードパッケージ点では、第１実施形態と共通であるが、たばこパッケージの態様が異なり、第１実施形態においては、蓋付きであり、棒状紙巻たばこ製品Ｐを取り出す際、蓋を開け、たばこパッケージを保管する際には、蓋を閉めるのに対して、本実施形態では、たばこパッケージが外箱と、外箱に対して摺動可能に内嵌する内箱とからなり、棒状紙巻たばこ製品Ｐを取り出す際、内箱を外箱から引き出し、たばこパッケージを保管する際には、内箱を外箱内に引っ込め、それに起因して、喫煙の際、口にくわえるフィルター部Ｆに指で触れずに棒状紙巻たばこ製品Ｐを取り出す態様が異なる点である。
【００３７】
より詳細には、たばこパッケージ１０が外箱６０と、外箱６０に対して摺動可能に内嵌する内箱６２とからなり、外箱６０は、前壁６０Ａ、後壁６０Ｂ 、および頂壁６０Ｃを有する筒状であり、内箱６２は、頂壁６２Ａ、後壁６２Ｂ 、側壁６２Ｃ、および底壁６２Ｄを有する。内箱６２において、後壁６２Ｂは矩形状を有し、一対の側壁６２Ｃはそれぞれ、後壁６２Ｂの各側縁から延在し、底壁６２Ｄは、矩形状をなし、後壁６２Ｂの下端縁３６に一方の縁６４Ａが連結され、他方の縁６４Ｂから、後壁６２Ｂと平行に折り込まれた下折込部６４が設けられ、頂壁６２Ａは、矩形状をなし、後壁６２Ｂの上端縁に一方の縁６６Ａが連結され、他方の縁６６Ｂから、後壁６２Ｂと平行に折り込まれた上折込部６６が設けられ、下折込部６４と上折込部６６との間に開口部６８が形成される。内箱６２には、頂壁６２Ａから上方に突出するタグ７０が後壁６２Ｂの裏面に固着され、タグ７０を上方に引っ張り上げることにより、内箱６２を外箱６０に対して引き出し可能にしている。
包装体Ｒの開口部６８に面する部分において、開口部６８に面する部分を横断する切れ目Ｃが入れられ、たばこパッケージ１０の開封の際、開口部６８に面する部分を上方に引っ張ることにより、切れ目Ｃを介して、前壁６０Ａに面する部分の切れ目Ｃより上方の部分が分離され、棒状紙巻たばこ製品Ｐの刻み部Ｂが開口部６８を介して露出するようにしている（図１２参照）。
【００３８】
以上の構成によれば、喫煙の折、たばこパッケージ１０から棒状紙巻たばこ製品Ｐを取り出す際、内箱６２を外箱６０から引き出すのに、内箱６２を指で触れることなしに、タグ７０のみを指で摘まんで引っ張ることにより可能となり、引き出された内箱６２において、棒状紙巻たばこ製品Ｐの刻み部Ｂが開口部６８を介して露出する。
よって、たばこパッケージ１０内に棒状紙巻たばこ製品Ｐがぎっしり詰まっている場合には、開口部６８を介して露出している刻み部Ｂを側方から指で押さえて、棒状紙巻たばこ製品Ｐの長手方向に沿って、他の棒状紙巻たばこ製品Ｐに対して摺動させながら、上方に押し出すことにより、たばこパッケージ１０の開口上端から取り出し可能である。
特に、刻み部Ｂは内部に刻みが収容されていることから、刻み部Ｂの巻紙の表面を指で押すことにより凹み可能なほど柔軟な部材である一方、フィルター部Ｆは、それに比して硬質な部材であることから、フィルター部Ｆの直下端に位置する刻み部Ｂの部分を指で押すことにより、凹ませ、それより、指がフィルター部Ｆの下端Ｅに係止することにより、棒状紙巻たばこ製品Ｐを上方に押し出し可能である。
【００３９】
また、たばこパッケージ１０内に棒状紙巻たばこ製品Ｐがぎっしり詰まっておらず、まわりにスペースがある場合には、開口部６８を介して露出している刻み部Ｂを側方から指で摘まんで、上方に引っ張り出すことにより、たばこパッケージ１０の開口上端から取り出し可能であり、いずれにせよ、喫煙の際、口にくわえるフィルター部Ｆに指で触れることなく、たばこパッケージ１０内から棒状紙巻たばこ製品Ｐを取り出し可能であり、以て、万が一、指に菌、ウィルスが付着している場合であっても、喫煙による感染の恐れを回避することが可能である。
【００４０】
以上、本発明の実施形態を詳細に説明したが、本発明の範囲から逸脱しない範囲内において、当業者であれば、種々の修正あるいは変更が可能である。
たとえば、本実施形態において、棒状紙巻たばこ製品Ｐ自体に警告表示マークＷを付するものとして説明したが、それに限定されることなく、たとえば、たばこパッケージ１０の表面に、または、内面に、喫煙の際、ウィルス感染防止のため、フィルター部Ｆを指で摘まんで取り出さないようにとの警告を印刷するのでもよい。
たとえば、第１実施形態において、いわゆるハードケースにおいて、パッケ―ジ本体１２の前壁６０Ａの開口部６８を深くすることにより、棒状紙巻たばこ製品Ｐの刻み部Ｂが露出するようにして、フィルター部Ｆを指で摘まむことなしに棒状紙巻たばこ製品Ｐの取り出しを可能とするものとして説明したが、それに限定されることなく、たとえば、第２実施形態において、いわゆるソフトケースにおいて採用したパッケ―ジ本体１２の隅部に三角錐台状の切り欠きを設け、この切り欠きを介して、棒状紙巻たばこ製品Ｐの刻み部Ｂが露出するようにする構成を説明したが、パッケ―ジ本体１２の前壁６０Ａの開口部６８は通常の深さとして、このような構成をその代替として、第１実施形態のハードケースに適用してもよい。
【００４１】
たとえば、本実施形態において、棒状紙巻たばこ製品Ｐをたばこパッケージ１０に収納する場合として説明したが、棒状紙巻たばこ製品Ｐのタイプには、ショートタイプ、ロングタイプ、スーパーロングタイプがあるが、タイプに応じて、包装体Ｒの切れ目位置が異なるが、本発明は、いずれのタイプにも適用可能である。
たとえば、第１実施形態において、切り欠き凹部３４の下端縁３６および包装体Ｒの切れ目それぞれのパッケ―ジ本体１２の底面からの高さのうち高い方が、フィルター部の下端と棒状紙巻たばこ製品Ｐの重心ＧＬ位置との間に設定されてさえいれば、切り欠き凹部３４を介して、刻み部が露出可能であるとともに、棒状紙巻たばこ製品Ｐが傾いて切り欠き凹部３４を介してパッケ―ジ本体１２内から落下するのを防止可能であるものとして説明したが、それに限定されることなく、たとえば、棒状紙巻たばこ製品Ｐの全長とたばこパッケージ１０の奥行との関係で、切り欠き凹部３４の下端縁３６および包装体Ｒの切れ目それぞれのパッケ―ジ本体１２の底面からの高さのうち高い方が、棒状紙巻たばこ製品Ｐの重心ＧＬ位置より低い位置に設定されていても、棒状紙巻たばこ製品Ｐの下端部がたばこパッケージ１０の後壁に支持されて、切り欠き凹部３４から傾いた状態で露出するとしても、パッケ―ジ本体１２内から落下するのを防止可能であるのであれば、切り欠き凹部３４を介して刻み部が露出可能となっていさえすればよい。
【００４２】
たとえば、第１実施形態において、たばこパッケージ１０内に棒状紙巻たばこ製品Ｐが２０本収納されている場合を説明したが、それに限定されることなく、複数の棒状紙巻たばこ製品Ｐを束として包装体Ｒとして包装し、それをたばこパッケージ１０内に収納し、開封時、棒状紙巻たばこ製品Ｐの刻み部が露出し、それを利用して、フィルター部に指で触れずに取り出し可能となっている限り、たばこパッケージ１０内に収納される棒状紙巻たばこ製品Ｐの本数に限定はない。
【図面の簡単な説明】
【００４３】
【図１】第１実施形態に係るたばこパッケージ１０の斜視図である。
【図２】第１実施形態に係るたばこパッケージ１０において、開封する状況を示す図である。
【図３】第１実施形態に係るたばこパッケージ１０において、包装体Ｒを上方に引っ張って、分離する状況を示す図である。
【図４】第１実施形態に係るたばこパッケージ１０の展開図である。
【図５】第１実施形態に係るたばこパッケージ１０において、刻み部を利用して、指で棒状紙巻たばこ製品Ｐを取り出す状況を示す略図である。
【図６】第１実施形態に係るたばこパッケージ１０において、切り欠き凹部３４の種々の形状と、それ応じた切れ目の高さＨと切り欠き凹部３４の高さｈとの関係を示す略図である。
【図７】第２実施形態に係るたばこパッケージ１０の斜視図である。
【図８】第２実施形態に係るたばこパッケージ１０において、包装体Ｒを上方に引っ張って、分離する状況を示す図である。
【図９】第２実施形態に係るたばこパッケージ１０において、棒状紙巻たばこ製品Ｐを取り出す状況を示す図である。
【図１０】第２実施形態に係るたばこパッケージ１０の展開図である。
【図１１】第３実施形態に係るたばこパッケージ１０において、内箱の蓋を開けて、棒状紙巻たばこ製品Ｐを取り出す状況を示す図である。
【図１２】第３実施形態に係るたばこパッケージ１０において、タブにより内箱を上方に引っ張って、棒状紙巻たばこ製品Ｐを取り出す状況を示す図である。
【図１３】第３実施形態に係るたばこパッケージ１０において、内箱の斜視図である。
【符号の説明】
【００４４】
Ｐ  棒状紙巻たばこ製品
Ｒ  包装体
Ｆ  フィルター部
Ｂ  刻み部
Ｓ  周側面
Ｗ  警告表示マーク
Ｃ  切れ目
Ｈ  切れ目の高さ
ｈ  切り欠き凹部の高さ
Ｔ  外挿フィルム
Ｅ  フィルター部の下端
ＧＬ  棒状紙巻たばこ製品Ｐの重心位置
ｌ    刻み部Ｂの取り出し利用可能な長さ
１０  ボックス型パッケージ
１２  パッケ―ジ本体
１４  蓋部材
１６  アウタボックス
１８  インナフレーム
２０  前壁
２２  後壁
２４  側壁
２５  上端縁
２６  底壁
２７  上端開口
２８  ヒンジ
３０  前面フレーム
３２  側面フレーム
３４  切欠き凹部
３６  下端縁
３８  後壁
４０  天板
４２  前壁
４４  一対の側壁
４６  封かん用シール
４８  外装フィルム
５０  開封テープ
５２  切り欠き部
５４  三角形状底面
５６  境界縁部
５８  頂部
７０  蓋部
６０  外箱
６０Ａ  前壁
６０Ｂ  後壁
６０Ｃ  側壁
６２  内箱
６２Ａ  頂壁
６２Ｂ  後壁
６２Ｃ  側壁
６２Ｄ  底壁
６４  下折込部
６４Ａ  一方の縁
６４Ｂ  他方の縁
６６  上折込部
６６Ａ  一方の縁
６６Ｂ  他方の縁
６８  開口部
７０  タグ
７１  最下端位置
【要約】      （修正有）【課題】パッケージからの取り出し容易性を確保しつつ、フィルター部を触れずに取り出しが可能なたばこパッケージを提供する。【解決手段】フィルター部Ｆとフィルター部に連結する刻み部Ｂとを有する複数の紙巻たばこを、フィルター部を上にして縦向きに収納し、複数の紙巻たばこの束の包装体と、開口を有する箱状のパッケ―ジ本体１２と、パッケ―ジ本体にヒンジ連結される蓋を有し、パッケ―ジ本体の前壁には、開口上端に対応する縁から下方に延在する切り欠き凹部が設けられ、その下端縁３６は、紙巻たばこの刻み部に相当する高さ位置に設けられ、包装体の前壁に面する部分に、下端縁より上の高さに、前壁に面する部分を横断する切れ目Ｃが入れられ、パッケージの開封の際、前壁に面する部分を上方に引っ張ることにより、切れ目を介して、切れ目より上方部分が分離され、紙巻たばこの刻み部が切り欠き凹部を介して露出するたばこパッケージ。【選択図】図１【図１】
0006804178.tif 000002
【図２】
0006804178.tif 000003
【図３】
0006804178.tif 000004
【図４】
0006804178.tif 000005
【図５】
0006804178.tif 000006
【図６】
0006804178.tif 000007
【図７】
0006804178.tif 000008
【図８】
0006804178.tif 000009
【図９】
0006804178.tif 000010
【図１０】
0006804178.tif 000011
【図１１】
0006804178.tif 000012
【図１２】
0006804178.tif 000013
【図１３】
0006804178.tif 000014